(57)【要約】  少なくとも１つのフリッパ（１７）が少なくとも部分的にそれぞれの環状強化要素（１４）とビード充填材（１６）とを覆うように提供される、強化ビード構造（１５）を有する空気圧タイヤ（１０）。フリッパは、０．２５ｍｍからの範囲の直径を有する少なくとも１つの予備成形糸状金属要素を含む複数の互いに実質的に平行な細長強化要素を有する。その結果得られるタイヤは、優れた操縦性と快適な乗り心地性と併せて、特に高速度及び／又は極限運転条件における、改良された耐久性を有する。
2007515323.tif 000002
【特許請求の範囲】
【請求項１】
−  一対の軸方向に間隔を空けて配置された環状強化要素（１４；３３）と、
−  前記環状強化要素（１４；３３）間に延び、軸方向対向端部分（３２ａ）において前記環状強化要素（１４；３３）のそれぞれ一方に固定された少なくとも１つのカーカスプライ（１２、１３；３２；５１、５２）を含み、各軸方向端部分（３２ａ）は前記環状強化要素（１４；３３）の周りで折り返される、カーカス構造（１１；３１）と、
−  それぞれの環状強化要素（１４；３３）の半径方向外部にそれぞれが配置される一対のビード充填材（１６；３４）と、
−  それぞれの環状強化要素（１４；３３）及びビード充填材（１６；３４）を少なくとも部分的に包み込み、複数の相互に実質的に平行な細長強化要素を含む少なくとも１つのフリッパ（１７；４０）と、
−  前記カーカス構造（１１；３１）の周りを周方向に延びるトレッドバンド（１８；３９）と、
−  前記カーカス構造（１１；３１）と前記トレッドバンド（１８；３９）との間に周方向に配置されたベルト構造（２０；３６）と、
−  前記カーカス構造（１１；３１）の軸方向対向位置に張り付けられた少なくとも一対のサイドウォール（１９；３８）とを備える空気圧タイヤ（１０；３０；５０；６０）であって、
前記細長強化要素が０．０５ｍｍ〜０．２５ｍｍの範囲の直径を有する少なくとも１つの予備成形糸状金属要素（２００）を有することを特徴とするタイヤ（１０；３０；５０；６０）。
【請求項２】
前記細長強化要素の糸状要素（２００）が全て予備成形されることを特徴とする請求項１に記載のタイヤ（１０；３０；５０；６０）。
【請求項３】
前記少なくとも１つの糸状要素（２００）が同一平面型の変形で予備成形されることを特徴とする請求項１に記載のタイヤ（１０；３０；５０；６０）。
【請求項４】
前記少なくとも１つの糸状要素（２００）が波動型の形状を有するように予備成形されることを特徴とする請求項３に記載のタイヤ（１０；３０；５０；６０）。
【請求項５】
前記波動形状が実質的に正弦波型のものであることを特徴とする請求項４に記載のタイヤ（１０；３０；５０；６０）。
【請求項６】
前記実質的に正弦波の形状が２．５ｍｍと３０ｍｍとの間の波長（Ｐ）を有することを特徴とする請求項５に記載のタイヤ（１０；３０；５０；６０）。
【請求項７】
前記実質的に正弦波の形状が０．１２ｍｍと１ｍｍとの間の振幅（Ｈ）を有することを特徴とする請求項５に記載のタイヤ（１０；３０；５０；６０）。
【請求項８】
前記波動形状がらせん型のものであることを特徴とする請求項４に記載のタイヤ（１０；３０；５０；６０）。
【請求項９】
前記フリッパ（１７；４０）が、それぞれの環状強化要素（１４；３３）と接触する、中央部分（１７１）と、前記中央部分（１７１）のそれぞれの端部から延び、前記ビード充填材（１６；３４）を係合する２つの脚部分（１７２、１７３）とを備えることを特徴とする請求項１に記載のタイヤ（１０；３０；５０；６０）。
【請求項１０】
フリッパ端部（１７４、１７５）が互いにオフセットされることを特徴とする請求項１に記載のタイヤ（１０；３０；５０；６０）。
【請求項１１】
複数の実質的に平行な金属細長強化要素を有するシェイファ（５３）をさらに備えることを特徴とする請求項１に記載のタイヤ（５０；６０）。
【請求項１２】
前記細長強化要素が、０．０５ｍｍ〜０．２５ｍｍの範囲の直径を有する少なくとも１つの予備成形糸状要素（２００）を有することを特徴とする請求項１１に記載のタイヤ（５０；６０）。
【請求項１３】
前記細長強化要素の前記少なくとも１つの糸状要素（２００）が、全て予備成形されることを特徴とする請求項１１に記載のタイヤ（５０；６０）。
【請求項１４】
前記少なくとも１つの糸状要素（２００）が同一平面型の変形で予備成形されることを特徴とする請求項１２に記載のタイヤ（５０；６０）。
【請求項１５】
前記少なくとも１つの糸状要素（２００）が波動型の形状を有するように予備成形されることを特徴とする請求項１２に記載のタイヤ（５０；６０）。
【請求項１６】
前記波動形状が実質的に正弦波型のものであることを特徴とする請求項１５に記載のタイヤ（５０；６０）。
【請求項１７】
前記実質的に正弦波の形状が２．５ｍｍと３０ｍｍとの間の波長（Ｐ）を有することを特徴とする請求項１６に記載のタイヤ（５０；６０）。
【請求項１８】
前記実質的に正弦波の形状が０．１２ｍｍと１ｍｍとの間の振幅（Ｈ）を有することを特徴とする請求項１６に記載のタイヤ（５０；６０）。
【請求項１９】
前記波動形状がらせん型のものであることを特徴とする請求項１５に記載のタイヤ（５０；６０）。
【請求項２０】
前記シェイファ（５３）がフリッパ（１７；４０）と少なくとも１つのカーカスプライ（５１、５２）との間に配置されることを特徴とする請求項１１に記載のタイヤ（５０；６０）。
【請求項２１】
前記シェイファ（５３）が少なくとも１つのカーカスプライ（５１、５２）に対して軸方向外部に配置されることを特徴とする請求項１１に記載のタイヤ（５０；６０）。
【請求項２２】
前記シェイファ（５３）が少なくとも１つのカーカスプライ（５１、５２）に対して軸方向内部に配置されることを特徴とする請求項１１に記載のタイヤ（５０；６０）。
【請求項２３】
前記シェイファ（５３）が２つのカーカスプライ（５１、５２）の間に配置されることを特徴とする請求項１１に記載のタイヤ（５０；６０）。
【請求項２４】
前記少なくとも１つの金属糸状要素（２００）が、スチール、アルミニウム又はアルミ合金を含む金属からなることを特徴とする請求項１または１１に記載のタイヤ（１０；３０；５０；６０）。
【請求項２５】
前記少なくとも１つの金属糸状要素（２００）が、黄銅、亜鉛、亜鉛／マンガン合金、亜鉛／コバルト合金、亜鉛／コバルト／マンガン合金を含む群から選択された被膜を有することを特徴とする請求項１または１１に記載のタイヤ（１０；３０；５０；６０）。
【請求項２６】
前記金属糸状要素（２００）の本数が２本と５本との間であることを特徴とする請求項１または１１に記載のタイヤ（１０；３０；５０；６０）。
【請求項２７】
前記金属糸状要素（２００）のよりピッチが２．５ｍｍと２５ｍｍとの間であることを特徴とする請求項１または１１に記載のタイヤ（１０；３０；５０；６０）。
【請求項２８】
前記細長強化要素の密度が４０コード／ｄｍと１６０コード／ｄｍとの間に含まれることを特徴とする請求項１または１１に記載のタイヤ（１０；３０；５０；６０）。
【請求項２９】
前記細長強化要素が、１５゜〜６０゜の範囲の、タイヤの半径面に対する角度で配置されることを特徴とする請求項１に記載のタイヤ（１０；３０；５０；６０）。
【請求項３０】
前記細長強化要素が、１５゜〜７０゜の範囲の、タイヤの半径面に対する角度で配置されることを特徴とする請求項１１に記載のタイヤ（１０；３０；５０；６０）。
【発明の詳細な説明】
【技術分野】
【０００１】
本発明は、４輪車及び２輪車で使用するのに適した空気圧タイヤに関する。
【０００２】
特に、本発明は、例えば、高出力自動車用に設計されたタイヤ、又はより一般的には、高動作速度（例えば、２００ｋｍ／ｈより速い）及び／又は極限運転条件を伴う用途を目的としたタイヤのような、高性能タイヤに関する。
【０００３】
より詳しくは、本発明は、「ＨＰ」（ハイパフォーマンス）又は「ＵＨＰ」（ウルトラハイパフォーマンス）タイヤや、トラック自動車レースやラリーのようなスポーツ競技に採用するのに適したタイヤに関する。
【０００４】
さらに、本発明は、ステーションワゴンに特有の快適性と収容性能という特性を高出力の自動車に特有の高性能（特に高トルク及び高速度に関する）と組み合わせるスポーツユーティリティビークル（ＳＵＶ）に使用するタイヤに関する。
【０００５】
さらに、本発明は、二輪車用、特にレース用途又は高出力バイクの場合のタイヤに関する。
【０００６】
より詳しくは、本発明は、四輪車及び二輪車用の空気圧タイヤのビード領域に採用される改良されたフリッパ構造に関する。
【背景技術】
【０００７】
タイヤは一般に：少なくとも１つのカーカスプライを含むカーカス構造であって、そのカーカスプライの両端が折り返されるか又は２つの環状強化要素、すなわち、いわゆる「ビードコア」に固定される、カーカス構造と；トレッドバンドと；カーカス構造とトレッドバンドとの間に配置されたベルト構造と；前記カーカス構造の軸方向対向位置に張り付けられた一対のサイドウォールとを備える。
【０００８】
ビードコアを含むタイヤ部分は、「ビード」として知られ、タイヤをそれぞれのリムに装着させる働きをする。
【０００９】
一般に、前記ビードコアの半径方向外部の位置において、ビードは、通常「ビード充填材」又は「ビード頂（bead apex）」と称されるゴムストリップを含み、これは、実質的に三角形断面を有し、それぞれのビードコアから半径外方に延びる
【００１０】
ハイパフォーマンス及びウルトラハイパフォーマンスタイヤは、スポーツレーシングカー用のタイヤと同様に、例えば、高速コーナーリング走行中又は、例えば密着限度（the limit of adherence）で走行するといった極限運転条件において生じる関連横スラストに耐えることができる、一般に固いサイドウォールを備えている。
【００１１】
タイヤサイドウォールの剛性を改良するのに採用できる技術的解決法は、ビード高さを増加することによってビード領域を増すこと、すなわちタイヤサイドウォールに沿ってビードを延長することからなる。
【００１２】
しかしながら、前記解決法は、前記ビードから得ることができる剛性が基本的にはビード充填材ゴム組成の機械的属性によるので、上述の用途に必要な剛性度をタイヤサイドウォールに付与しない。
【００１３】
さらに、ビード高さを過度に増加すると、乗り心地に悪影響を及ぼし、それによって特にＨＰやＵＨＰ用途に不適当なタイヤになってしまう。
【００１４】
さらに、タイヤが高ビード（すなわち、著しくタイヤサイドウォールに沿って延びているビード）を備えている場合、タイヤカーカスの内部に発生する応力はその外形に沿って十分に調整されない。したがって、ビード領域内に望ましくない応力集中ゾーンが生じ、このことはカーカスプライとビード充填材との間の脱離形成の原因となる。
【００１５】
上述の欠点を招くことなくタイヤサイドウォールの剛性を改良するのに伝統的に使用されている他の技術的解決法は、タイヤビードに一般に「フリッパ」として知られる強化層を備えることからなる。
【００１６】
フリッパは、少なくとも部分的にそれぞれのビードコア及びビード充填材を包み込むことができるようにそれらの周りに巻かれる強化層であり、前記強化層はカーカスプライとビードコア／充填材アセンブリとの間に配置される。通常ではフリッパは前記カーカスプライ及びビードアセンブリと接触している。
【００１７】
フリッパはエラストママトリックスに埋め込まれる複数の細長強化要素から成り、前記強化要素は繊維材料（例えば、アラミド又はレーヨン）から、又は金属材料（例えば、スチールコード）から作られる。
【００１８】
さらに、タイヤの動作中、ビード領域は、この領域に存在する互いに隣接する構成要素の、特にカーカスプライ折り返し端部の、タイヤの隣接構造要素からの分離につながり得る発熱をもたらす循環的曲げを受ける。
【００１９】
タイヤビードにフリッパを備えることによって、上述の発熱を有利に低減でき、熱安定性をタイヤビードに付与できる。このことは基本的に、ビード領域でのいかなる相対的な運動も、ビード格納要素の機能をも果たすフリッパの存在によって制限されるということによる。
【００２０】
米国公開特許第２００３／００３４１０８号明細書は、トレッドを載せている冠状強化部と、前記トレッドが２つのサイドウォールによって２つのビードに接合され、それらのビード間に、環状要素の周りに巻きつけることによって各ビード内に固定された、少なくとも１つのカーカス強化プライが延び、そのカーカス強化プライの引張り強さは同寸法の従来形の種類のビードワイヤの引張り強さよりも小さく、さらに環状要素と接触して配置される少なくとも２つビード強化層であって、各層内で互いに平行であり層間では交差する（crossed from one layer to the next）、関係０゜＜α≦１５゜を満たす角度αを形成する強化要素から構成される少なくとも２つのビード強化層のアセンブリとを含むタイヤを開示する。前記文書によれば、環状要素は、推奨タイヤ空気圧によってカーカス強化部に付与された引張応力の３倍から５倍の引張り強さを有し、その破断点伸びは２％から６％の間にあり、ビード強化層の全てが、環状要素の引張り強さの０．５倍から１倍の引張り強さを有し、環状要素と強化層のアセンブリとの引張り強さの総計は、カーカス強化部に付与された引張り応力の６倍から８倍の間である。前記文書によれば、ビード強化層は芳香族ポリアミドのケーブルから形成される。
【００２１】
米国公開特許第２００１／００１８９４１号明細書は、非伸の（inextensible）強化要素の少なくとも１つのプライから形成され、ビード毎にビードワイヤに固定されて折り返し部を形成する少なくとも１つのラジアルカーカス強化部を含み、その折り返し部の端部はビードワイヤの基部Ｄから半径距離ＨＲＮＣに位置する、リム高さがＨの、タイヤ、特に重車両用タイヤを開示する。各ビードは少なくとも２つの追加的な強化アーマチュア（armatures）：ａ）ラジアル金属強化要素から形成される少なくとも１つの第１アーマチュア、及びｂ）周方向と、０゜≦α≦４５゜となるような角度αをなす金属要素から形成される少なくとも１つの第２アーマチュア、によって強化される。経線で見ると、第１の強化アーマチュアは、前記カーカス強化部の内部のカーカス強化部の固定ビードワイヤの周りに２つのストランドを形成するように巻きつけられる非伸要素の少なくとも１つのプライから形成される。カーカス強化部の隣の半径方向上縁部の半径下方端Ａと、固定ビードワイヤとの接触点Ｔとの間に位置する軸方向内部ストランドは、「最短経路」と称される直線トレースＡＴを辿り、その半径上方端は半径方向に、高さＨの０．２１６倍と０．４３２倍との間のビードワイヤの基部Ｄから距離ＨＬＩに位置する。カーカス強化部の折り返し部の内部に軸方向に位置する軸方向外部ストランドは、カーカス強化折り返し部の端部よりも回転軸に半径方向により近い半径上方端を有し、ビードワイヤの基部Ｄの前記端部間の距離ＨＬＥは、カーカス強化部の折り返し部の高さＨＲＮＣの０．２倍と０．８倍との間である。要素の第２のアーマチュアは、半径方向に対し傾けられ、固定ビードワイヤの周りに巻きつけられず、カーカス強化部の折り返し部の外部に軸方向に配置される。前記第１及び第２のアーマチュアの金属強化要素は、ラジアル金属コード又はケーブルから形成される。
【発明の開示】
【発明が解決しようとする課題】
【００２２】
出願人は、高速及びスポーツレース用途において、トラックレース又はラリーで典型的に行われる過酷な運転操作のような、高速度及び／又は極限運転条件から発生する関連応力―特に横応力―に耐えられる空気圧タイヤの必要性があると考えた。
【００２３】
特に、出願人は、タイヤの操縦性に悪影響を与えることなく上述の用途に必要な所望構造的強度を確保するのに適している強化ビードを備えている空気圧タイヤが必要であると考えた。
【００２４】
さらに、出願人は、タイヤビード領域の応力やひずみを低減することによってタイヤの転がり抵抗を減少させるための、前記領域のいかなる構造的変更も、一般にビード構造の剛性を増加させる一方、乗り心地の特性も著しく低下させることに気付いた。
【課題を解決するための手段】
【００２５】
したがって、出願人の努力は、操縦性と乗り心地との特性を確実にする柔軟性と併せて上述の所望構造的強度を得るために、タイヤビード領域、特にフリッパを改造することに集中された。
【００２６】
出願人は、タイヤビードにフリッパ（flipper）を備え、そのフリッパの細長強化要素（elongated reinforcing elements）が、金属であり、０．０５ｍｍから０．２５ｍｍの範囲の小直径の予備成形糸状要素（preformedthreadlike elements）を含むことによって、前記結果を達成できることを発見した。
【００２７】
本発明によれば、フリッパの各細長強化要素は、複数（すなわち少なくとも２つ）の糸状要素を含む金属コードであり、前記糸状要素の少なくとも１つは予備成形される。
【００２８】
本説明において、用語「細長予備成形強化要素」は、少なくとも１つの予備成形糸状要素を有する強化要素を示すために使用される。
【００２９】
出願人は、高機械的抵抗性が、金属強化要素の存在によってフリッパに付与され、しかも高柔軟性が、細長強化要素の小直径の少なくとも１つの糸状要素を予備成形することによって得られ、前記高柔軟性が、繊維材料から作られた強化繊維に特有であることを発見した。
【００３０】
したがって、出願人は、フリッパ強化要素として小直径の細長予備成形金属要素を採用することによって、金属強度要素を含む半製品に特有である高強度と、繊維強化要素を含む半製品に特有である高柔軟性とを有するフリッパを得ることが可能となることを発見した。
【００３１】
出願人は、上記組み合わせがフリッパには非常に重要であることを発見した。
【００３２】
事実、フリッパはビード領域の剛性を増加するために使用されるので、そのような結果を有利に達成できることを確実にするのに十分に高い強度である半製品をタイヤビードに提供することが重要である。
【００３３】
さらに、タイヤ製造工程時に、フリッパの張り付けを容易に且つ正規に実行でき、フリッパがビードコア／充填材アセンブリの外形に正確に従うように、十分な柔軟性をフリッパに付与することも非常に重要である。
【００３４】
事実、フリッパが堅すぎで、ビードコア及びビード充填材の周りに正しく巻きつけられない場合、空気がビードコア／充填材アセンブリとフリッパとの間に封入された状態となる。フリッパ金属強化要素と接触することになる、空気、ゆえに酸素の存在は、望ましくない腐食現象がタイヤビード内で起こり得るので、回避されなければならない。
【００３５】
さらに、フリッパの柔軟性は：ａ）フリッパ製造工程が通常では繊維材料に採用される圧延や切断ステップ用と同じ機械を使用することによって行うことができ；ｂ）ビードコア／充填材アセンブリの周りでフリッパを折り返すステップがフリッパの柔軟性によって促進されるのでタイヤ製造工程におけるフリッパの張り付けステップがきわめて容易に行うことができるので；工程の観点からも有利である。
【００３６】
出願人は、本発明によるフリッパの柔軟性がタイヤ、特に高出力自動車又はバイク用のタイヤのサイド（横）グリップを確実に高めることをも発見した。
【００３７】
一般に、自動車タイヤの横グリップは、特に高出力エンジンを搭載した後輪駆動車の、駆動輪でより顕著であり、前記自動車は、特にドライ路面での高性能を確保するために、タイヤの周方向に狭く、軸方向に広い接地面積をもった、通常では非常に大きくて堅い低セクションタイヤを有する。
【００３８】
横グリップが欠落していると、自動車の後車軸のグリップを失わせ、カーブを脱出する際のけん引力に悪影響を与え、同様に、極限運転条件、例えばスポーツトラックレースやラリーで動作されると、自動車の横安定性にも悪影響を及ぼす。
【００３９】
さらに、自動車市場においてそれらの存在を大幅に増している、スポーツユーティリティビークル（ＳＵＶ）は、一般に、高出力エンジンを搭載した自動車に必要な横グリップよりも高い横グリップを必要とする。このことは、高性能、及び時には非常に高い性能（特に舗装道路での）が、大容積を有し、重心が路面に対し高い自動車に提供されなければならないという理由のためである。
【００４０】
二輪車に関する限り、横グリップが欠落している場合、特にカーブ走行が運転者によって、特に高速度で実行されると、車両の横安定性に悪影響する。
【００４１】
上述のように、本発明によれば、フリッパの予備成形金属糸状要素の直径は、小さくなるように、例えば、０．０５ｍｍから０．２５ｍｍの範囲に選択される。
【００４２】
事実、出願人は、フリッパ用の強化要素として微細（すなわち小直径の）予備成形金属糸状要素を使用すると、フリッパ重量を減少させ、フリッパ柔軟性を増加させることが可能となり、それによって上述の利点を達成できることを発見した。
【００４３】
さらに、出願人は、本発明によるフリッパが、当業界技術で知られているフリッパ、例えば、強化要素が金属又は繊維材料から作られるフリッパのものよりも大きいグリーン粘着力（green tackiness）を有することを発見した。
【００４４】
フリッパのグリーン粘着力は、フリッパを形成するグリーンゴム化合物と金属糸状要素との間の接着度を示す。
【００４５】
したがって、フリッパがタイヤ製造工程においてのその張り付け中に取り扱われるとき、フリッパを、特にグリーンゴムから強化要素を分離させる危険を冒すことなく金属糸状要素を横切る方向に伸ばすことができる。
【００４６】
このような分離は、腐食現象、又はゴム被覆を欠いている金属要素がビードから突き出るという、タイヤビードの内部に重大な領域の形成、つまりタイヤが廃棄される原因となる不良を発生させるので、回避されなければならない。
【００４７】
さらに、出願人は、本発明のフリッパが、老化後でも金属糸状要素への硬化ゴム化合物の非常に優れた接着力（かかる側面は腐食現象の形成を回避するのに寄与する）、及びコードの予備成形糸状要素の（又はコードが予備成形及びノン予備成形糸状要素から作られる場合に予備成形糸状要素内へのノン予備成形糸状要素の）顕著な相互侵入性を示すので、コードの切断が実行されたときコード端のほつれ又はコード端部分のカールのような、望ましくない現象が起こらないことを発見した。
【００４８】
第１の態様において、本発明は：
−  一対の軸方向に間隔をもって配置された環状強化要素と；
−  前記環状強化要素間に延び、軸方向対向端部において前記環状強化要素のそれぞれ１つに固定され、各軸方向端部が前記環状強化要素の周りで折り返される、少なくとも１つのカーカスプライを含むカーカス構造と；
−  それぞれがそれぞれの環状強化要素の半径外方に配置される、一対のビード充填材と；
−  それぞれの環状強化要素とビード充填材とを少なくとも部分的に包み込み、複数の相互に実質的に平行な細長強化要素を有する少なくとも１つのフリッパと；
−  前記カーカス構造の周りを周方向に延びるトレッドバンドと；
−  前記カーカス構造と前記トレッドバンドとの間に周方向に配置されたベルト構造と；
−  前記カーカス構造の軸方向対向位置に張り付けられた少なくとも一対のサイドウォールとを備える空気圧タイヤに関し、前記細長強化要素が０．０５ｍｍから０．２５ｍｍの範囲の直径を有する少なくとも１つの予備成形糸状金属要素を含むことを特徴とする。
【００４９】
各細長強化要素は少なくとも１つの予備成形金属糸状要素を有する金属コードであり、前記少なくとも１つのコードを形成する他の残りの糸状要素はノン予備成形タイプのものであることが好ましい。
【００５０】
他の実施形態において、各細長強化要素は金属コードであり、その糸状要素は全て予備成形される。所定の予備成形工程を受ける前は、糸状要素は直線形状をしている。
【００５１】
予備成形糸状要素の変形は同一平面型（coplanar type）のものであることが好ましい。すなわち各予備成形糸状要素は同一平面内にある。
【００５２】
前記糸状要素は、それらがそれらの長手方向延長部に沿っての鋭角エッジ及び／又は曲率の不連続が実質的に無い波形状となるように予備成形されることが好ましい。前記特徴は、前記鋭角エッジ／コーナの欠落が糸状要素の破断荷重の好ましい増加となるので、特に有利である。
【００５３】
特に好ましいのは実質的に正弦波状の波動に従う予備成形である。前記正弦波波動は好ましくは２．５ｍｍと３０ｍｍとの間、より好ましくは５ｍｍと２５ｍｍとの間の波長を有する。前記正弦波波動は０．１２ｍｍと１ｍｍとの間の振幅を有することが好ましい。上述の波長及び振幅の範囲は、タイヤに挿入される前の非ゴム引き糸状要素において直接に、又は完成（加硫済み）タイヤにおいて測定されても良い。前記変数の測定は、拡大レンズや目盛尺（例えば目盛付き定規）を使用して糸状要素で有利に行われても良い。完成（又は加硫）タイヤが分析されることになる場合、タイヤからフリッパを取り出し、適当な溶剤によって、例えばジクロロベンゼンを用いてそれを少なくとも１２時間１００℃で処理することによって、フリッパーからゴム引き化合物を除去する必要がある。
【００５４】
代わりの実施形態において、変形は同一平面型のものではなく、例えばらせん型の形を有する。
【００５５】
本発明による予備成形糸状要素を得るために、この分野で知られている方法の任意の１つを採用することも可能である。例えば、同出願者名義の、米国特許第５，５８１，９９０号明細書に示された種類の歯車装置を使用するか、又は国際公開第００／３９３８５号パンフレットに記載の装置を使用することも可能である。前記装置は、第１のプーリの突起部と第２のプーリの対応突起部との間にある空間に沿って移動するようにした糸状要素に軸方向変形と曲げ変形とを同時に起こさせるように、それぞれが所定区画にわたり互いに噛み合うことのできる、複数の対面突起部を備えた一対のプーリを有する。上述の噛み合い動作は、前記糸状要素によって回転駆動される前記一対のプーリの動作の結果として行われても良い。
【００５６】
細長強化要素は、フリッパ内で実質的に均等に分配される、すなわち、連続した隣接単一細長強化要素間の軸方向間隔が実質的に一定であることが好ましい。
【００５７】
上述のように、フリッパは、半径方向外部カーカスプライとビードコア／充填材アセンブリとの間に配置され、それは、ビードコアとビード充填材とを、少なくとも部分的に包み込むようにビードコアの周りに巻きつけられる。
【００５８】
より詳しくは、フリッパは、それぞれのビードコアと接触する中央部分、及び中央部分のそれぞれの端部から延び、ビード充填材を係合する（engage）２つの脚部分によって形成されると考えられる。
【００５９】
本説明において、用語「外部フリッパ端部」は、フリッパの軸方向外部脚部分に属するフリッパ端部を示すために使用され、用語「内部フリッパ端部」は、フリッパの軸方向内部脚部分に属するフリッパ端部を示すために使用される。
【００６０】
本発明によれば、フリッパ端部は、一端が他端よりもタイヤサイドウォールの方向により長く延ばされるように互いにオフセットされる（千鳥配置される）ことが好ましい。
【００６１】
したがって、２つの異なる解決法が得られる：
ａ）内部オフセットが実施される場合、すなわち、フリッパの内部脚部分が外部脚部分よりも長く延ばされる、及びｂ）外部オフセットが実施される場合、すなわち、フリッパの外部脚部分が内部脚部分よりも長く延ばされる。
【００６２】
さらに、出願人は、本発明によるフリッパ内に使用される予備成形金属糸状要素が、タイヤの加硫が行われた後も広範囲の弾性及び高破断点伸びを有することを発見した。
【００６３】
この側面は、本発明のタイヤが、従来技術のフリッパを備えたタイヤのものよりも高い循環疲労強度（cyclic fatigue strength）を呈するので特に有利となる。
【００６４】
本発明の他の態様によれば、タイヤビードは、一般に「シェイファ（chafer）」の用語で知られる、ビード剛性を増す機能を有する他の強化層を備える。
【００６５】
シェイファは、エラストママトリックスに埋め込まれ、一般に繊維材料（例えば、アラミド又はレーヨン）又は金属材料（例えば、スチールコード）から作られる複数の細長強化要素を含む。
【００６６】
本発明によれば、シェイファは、フリッパに関し上述のように、小直径の予備成形糸状要素を含む金属細長強化要素を備えている。
【００６７】
シェイファは、タイヤビード及び／又はサイドウォールの内部の複数の位置に配置できる。
【００６８】
シェイファはフリッパとカーカスプライとの間に配置されることが好ましい。前記実施形態によれば、シェイファは、フリッパ内部脚部分に対応して位置決めできる。あるいは、シェイファは、フリッパ外部脚部分に対応して位置決めできる。
【００６９】
あるいは、シェイファは、カーカスプライに対して軸方向外部の位置に配置されるので、フリッパ外部脚部分の近くまで延びる。他の実施形態によれば、シェイファは、カーカスプライに対して軸方向内部の位置に配置されるので、フリッパ内部脚部分の近くまで延びる。
【００７０】
タイヤが２つのカーカスプライを備えている場合、シェイファは、前記カーカスプライの間に位置決めできる。シェイファはフリッパ内部脚部分の近くのカーカス間に配置されることが好ましい。あるいは、シェイファはフリッパ外部脚部分の近くのカーカスプライ間に配置される。
【００７１】
あるいは、シェイファはカーカスプライに対して軸方向外部の位置に配置されるので、フリッパ外部脚部分の近くまで延びる。他の実施形態によれば、シェイファはカーカスプライに対して軸方向内部位置に配置されるので、フリッパ内部脚部分の近くまで延びる。
【００７２】
シェイファは、ビードコアの半径外方部分に対応して始まり、ビード充填材の外形に従い、タイヤサイドウォールに対応して終えるのが好ましい。
【００７３】
あるいは、シェイファは、タイヤベルト構造の両端部まで、タイヤサイドウォールに沿って延びることができる。
【００７４】
他の特徴や利点は、本発明によるタイヤの例についての詳細な説明を参照すればより明らかとなろう。以下に示される前記説明は、単に非限定的な例として提供される添付図面を参考にする。
【発明を実施するための最良の形態】
【００７５】
図１は、本発明による、及びリム（図示せず）に装着するのに適している自動車用タイヤ１０の部分断面図を示す。
【００７６】
タイヤ１０は、両端部が一対のビードコア１４と結合されている２つのカーカスプライ１２、１３を備えるカーカス構造１１を含む。
【００７７】
図１に示された実施形態によれば、カーカスプライ１２、１３はビードコア１４の周りでカーカスプライの端部を折り返すことによってそれぞれのビードコア１４と結合されている。
【００７８】
ビードコア１４は、前記タイヤの半径方向内部の位置において、互いに軸方向に間隔を空けて配置され、それぞれのビード１５に組み込まれる。
【００７９】
ビードコア１４に加えて、ビード１５は、ビードコア１４の半径方向外部位置のビード充填材１６、及びフリッパ１７を有する。
【００８０】
図１の実施形態によれば、フリッパ１７は、ビードコア１４及びビード充填材１６の周りに巻きつけられ、ビードコア／充填材アセンブリを完全に包み込む。実際、フリッパ１７は半径方向外部カーカスプライ１３とビードコア／充填アセンブリとの間に配置され、半径方向外部カーカスプライとビードアセンブリと直接接触する。
【００８１】
図１の実施形態によれば、フリッパ１７は、それぞれのビードコア１４と接触している中央部分１７１と、中央部分１７１のそれぞれの端部から延び、ビード充填材１６を係合する２つの脚部分とから形成される。
【００８２】
特に、内部脚部分１７２は内部フリッパ端部１７４を備え、外部脚部分１７３は外部フリッパ端部１７５を備えている。
【００８３】
図１の実施形態によれば、フリッパ端部の内部オフセットは、フリッパ１７の内部脚部分１７２が外部脚部分１７３よりも長く延ばされ、さらに―タイヤ断面図で明瞭に示されるように―内部フリッパ端部１７４が外部フリッパ端部１７５の高さよりも高いタイヤサイドウォールの高さに達するように実行される。
【００８４】
カーカスは、ラジアル型のものであること、つまりタイヤの赤道面ｐ−ｐと実質的に垂直な方向に配置された強化コードを組み込むことが好ましい。
【００８５】
タイヤ１０は、さらに、前記カーカス１１の冠状部上に配置されたトレッドバンド１８、及びそれぞれのビード１５とトレッドバンド１８との間にそれぞれが配置された一対の軸方向対向サイドウォール１９を有する。
【００８６】
カーカスプライ１１とトレッドバンド１８との間に、タイヤ１０は、さらに、ベルト構造２０を備える。図１に示された例では、ベルト構造２０は、２つの半径方向に重ね合わされたベルトプライ２１、２２と、２つの強化層２３、２４とを想定している。
【００８７】
詳細には、互いに半径方向に重ね合わされたベルトプライ２１、２２は複数の強化コードを組み込み、これらのコードは典型的に金属であり、タイヤの赤道面ｐ−ｐに対して斜めに向けられ、各プライ内では互いに平行で、周方向に対し所定角度を形成できるように隣接プライのコードとは交差する。
【００８８】
前記対のベルトプライ２１、２２の半径方向外部にある強化層２３、２４は、互いに実質的に平行で、タイヤの赤道面ｐ−ｐとも平行である、つまりタイヤの周方向とで実質的にゼロである角度（前記強化層２３、２４はまた０゜層と定義される）を形成する、強化要素（図示せず）を有する。
【００８９】
一般に、自動車用タイヤにおいて、前記強化要素は繊維型のものである。
【００９０】
チューブレスタイヤの場合、前記カーカスプライ１１の半径方向内部の位置に、ゴム引き層、いわゆる「ライナ」（図１に示さず）も想定され、前記層は、タイヤ１０に対して、使用中、空気への必要な不透過性を提供することができる。
【００９１】
図１に示されたビードコア１４は、典型的には実質上四角型の、対称的且つ幾何学的に規則的な形を有する断面をもった「アルダーファ（Alderfer）」型のものである。
【００９２】
ビードコアの「アルダーファ」構造は、「ｍｘｎ」型の構成を有し、ここで「ｍ」は軸方向隣接糸状要素又は（少なくとも一対の糸状要素を撚ることによって得られた）コードの数を示し、「ｎ］は前記糸状要素（又は前記コード）の半径方向に重ね合わせた層数を示す。
【００９３】
ビードコア構造は又いわゆる「単一スレッドビードコア」でもある。これは、単一ゴム引き糸状要素（又は単一コード）から形成される。この要素は、軸方向隣接巻きの第１の層を形成できるようにらせん状に巻かれる；次に前記第１の層の半径方向外部の位置に、同糸状要素（又は同コード）は、第１の層の半径方向外部の位置に第２の層を形成できるように、更にコイル状にされる。そして、数回半径方向に重ね合わされた層を形成できるように、各層は、半径方向に隣接する層のものと異なる巻き数を有することができる。
【００９４】
いわゆる「ラウンドケーブル」ビードコアもまた使用できる。この種類のビードコアは、例えば単一糸状要素から得られる中心コアを有する。単一糸状要素は、円を形成できるように末端同士で溶接され、その周りに糸状要素がらせん状に巻かれ、最後にそれ自体に接合される。
【００９５】
図２は、本発明によって正弦波状に予備成形される糸状要素２２を示す。
【００９６】
上述のように、一般に直線から周期的に逸脱する形の前記変形は、いかなる周知の形で得られても良い。前記変形は、同一平面型のものであることが好ましい。より好ましくは、前記変形は、波長（又はピッチ）Ｐ及び振幅Ｈを有する実質的に正弦波状の波動（図２に示されたもののような）からなる。
【００９７】
本発明の目的のために、「波長Ｐ」は、周期的に反復される最小区分の長さとして理解され、及び「振幅Ｈ］は、中心軸Ｓ（図２参照）からの糸状要素の最大横偏差の振幅（両方向で等しくなると仮定される）の２倍を意味するものとして理解される。
【００９８】
上述のように、波長（又はピッチ）Ｐは２．５ｍｍと３０ｍｍとの間であるのが好ましく、より好ましくは５ｍｍと２５ｍｍとの間である。
【００９９】
振幅Ｈは０．１２ｍｍと１ｍｍとの間であることが好ましく、より好ましくは０．１４ｍｍと０．６０ｍｍとの間である。
【０１００】
一般に、本発明による予備成形糸状要素は、０．０５ｍｍと０．２５ｍｍとの間、好ましくは０．０８ｍｍと０．２０ｍｍとの間の直径Ｄを有する。特に好ましい直径は０．１２ｍｍである。
【０１０１】
上述のように、糸状要素は金属である。
【０１０２】
好ましくは、糸状要素はスチールから作られるのが好ましい。糸状要素の直径が０．４ｍｍと０．１ｍｍとの間にある場合、標準ＮＴ（標準張力）スチールの破断強度は約２，６００Ｎ／ｍｍ２（又は２，６００ＭＰａ―メガパスカル）と約３，２００Ｎ／ｍｍ２との間であり、ＨＴ（ハイテンシル）スチールの破断強度は約３，０００Ｎ／ｍｍ２と約３，６００Ｎ／ｍｍ２との間であり、ＳＨＴ（スーパハイテンシル）スチールの破断強度は約３，３００Ｎ／ｍｍ２と約３，９００Ｎ／ｍｍ２との間であり、ＵＨＴ（ウルトラハイテンシル）の破断強度は約３，６００Ｎ／ｍｍ２と約４，２００Ｎｍｍ２との間である。前記破断強度値は、特にスチールに含有される炭素量に依存する。
【０１０３】
一般に、前記糸状要素は、０．１０μｍと０．５０μｍとの間の厚みを有する、黄銅被膜（６０重量％と７５重量％との間のＣｕ、４０重量％と２５重量％との間のＺｎ）で被覆されている。前記被膜は、ゴム引き化合物への糸状要素の接着をより確実にし、タイヤの製造中及びその使用中との両方の場合での、金属の腐食の防止となる。より強い耐食性を確保しなければならない場合、前記糸状要素は、より大きな耐食性を確保できる、例えば、亜鉛、亜鉛／マンガン（ＺｎＭｎ）合金、亜鉛／コバルト（ＺｎＣｏ）合金又は亜鉛／コバルト／マンガン（ＺｎＣｏＭｎ）合金を基材とした被膜のような、黄銅以外の錆止め被膜が被覆されると有利である。
【０１０４】
あるいは、糸状要素はアルミニウム又はアルミ合金から作られる。
【０１０５】
本発明によるフリッパは、ｎｘＤタイプの構造を有するコードを使用することによって得られることが好ましく、ここでｎはコードを形成する糸状要素の数であり、Ｄは各糸状要素の直径である。好ましくはｎは２と５の間である。特に好ましくは、ｎが３に等しいことである。
【０１０６】
好ましくは、前記コードのよりピッチ（stranding pitch）は２．５ｍｍと２５ｍｍとの間であり、より好ましくは６ｍｍと１８ｍｍとの間である。特に好ましいのが１２．５ｍｍのよりピッチである。
【０１０７】
好ましいコード構造は、例えば：２ｘ（すなわち、一緒に撚られた２本の糸状要素）、３ｘ、４ｘ、５ｘ、２＋１（すなわち、２本の糸状要素の１本のストランドと、１本の糸状要素の１本のストランドとがあり、前記２本のストランドは一緒に撚られる）、２＋２、３＋２、１＋４である。
【０１０８】
本発明によるフリッパ内の細長強化要素の密度は、４０コード／ｄｍと１６０コード／ｄｍとの間に含まれることが好ましく、より好ましくは８０コード／ｄｍと１２０コード／ｄｍとの間に含まれる。特に好ましいのが８５コード／ｄｍと１０５コード／ｄｍの密度である。
【０１０９】
本発明によるフリッパの細長強化要素は、タイヤの半径面に対し斜めに配向されることが好ましい。
【０１１０】
好ましくは、前記細長強化要素は、１５゜〜６０゜の範囲の、より好ましくは３０゜〜４５゜の範囲の、タイヤの半径面に対する角度で配置される。
【０１１１】
出願人は、フリッパの強化要素の角度がカーカスプライの強化要素の角度に最接近すると、フリッパに付与できる剛性も最大となるが、エンジンによって供給されたトルクのタイヤへの伝達が最低となることに気付いた。したがって、フリッパの強化要素の角度は、前記２つの異なる技術的側面の間の妥協点を見出す必要性を考慮して選択されなければならない。
【０１１２】
好ましくは、フリッパの厚み―すなわち、コード及び、コードが埋め込まれるゴム引き化合物の直径を含む全厚み―は、０．５（±０．１）ｍｍと１．７（±０．１）ｍｍとの間、より好ましくは０．８（±０．１）ｍｍと１．１（±０．１）ｍｍとの間に含まれる。
【０１１３】
図３は、本発明による、リム（図示せず）に装着するのに適したバイク用タイヤ３０の部分断面図を示す。
【０１１４】
タイヤ３０は、カーカス構造３１を備える。カーカス構造は、少なくとも１つのカーカスプライ３２を含み、その対向側縁部３２ａがそれぞれのビードコア３３と連結される、
【０１１５】
図３によれば、カーカスプライ３２とビードコア３３との間の連結は、ビードコア３３の周りでカーカスプライ３２の対向側縁部３２ａを折り返すことによって得られる。
【０１１６】
カーカスプライ３２は、一般に、複数の強化コードからなり、該コードは、互いに平行に配置され、エラストマ材料の層で少なくとも部分的に被覆される。これらの強化コードは通常、紡織繊維、例えばレーヨン、ナイロン、ポリエチレンナフタリン―２，６―ジカルボキシレート（ＰＥＮ）、ポリエチレンテレフタレート（ＰＥＴ）、又は一緒に撚られ、金属合金（例えば、銅／亜鉛、亜鉛／マンガン、亜鉛／モリブデン／コバルト合金等）で被覆されたスチールワイヤから作られる。
【０１１７】
好ましい実施形態によれば、カーカス構造３１はラジアルタイプのものである、すなわちカーカスプライ３２は、周方向に対し実質的に垂直方向に配置された強化コードを組み込む。
【０１１８】
あるいは、カーカス構造３１は、１組の半径方向内部及び半径方向外部のカーカスプライ（図３に示さず）を備える。この場合、強化コードは基本的に互いに平行であり、各プライにおいて傾斜方向に配向され、タイヤの赤道面ｘ−ｘを基準に隣接プライのコードに対し反対にされる。
【０１１９】
エラストマ充填材３４―ビード充填材―は、カーカスプライ３２とそれの対応折り返し部との間に画定された空間を充填するためにビードコア３３の半径方向外部に塗布される。
【０１２０】
周知のように、ビードコア３３及びビード充填材３４を備えるタイヤ領域は、タイヤ３０を対応する装着リム（図３に示さず）に固定させることを目的とした、いわゆるタイヤビード３５を形成する。
【０１２１】
ベルト構造３６は、カーカス構造３１の円周に沿って張り付けられる。
【０１２２】
図３の実施形態によれば、ベルト構造３６は、複数の周方向コイルを含む１つの強化層３７だけを含む。該コイルは、軸方向に横並び配置され、１本のゴム引きコードの、又は数本のゴム引きコード（好ましくは２〜５本）の１本のストリップで、カーカス構造３１の冠状部に実質的にゼロ角度でらせん状に巻かれる。前記周方向コイルは、実質的にタイヤの転動方向に従って配向される。
【０１２３】
周方向コイルは、好ましくは、ベルト構造３６の中央部分におけるよりも対向側部においてより大きな厚みの強化層を得ることができるように、可変ピッチに従ってカーカス構造３１に巻かれる。
【０１２４】
たとえ自動的らせん巻き（thespiralling by itself）や任意のピッチ変動がゼロと異なる巻き角度を含むとしても、この角度は、実質的に常にゼロ度に等しいとみなされるほど小さいままである。
【０１２５】
通常、前記強化層３７のコードは繊維又は金属コードである。好ましくは、前記コードはスチールコード、より好ましくは高い伸び率（ＨＥ）のスチールコードである。
【０１２６】
好ましくは、前記コードは高炭素（ＨＴ）スチールワイヤ、すなわち０．９％よりも高い炭素含有量のスチールワイヤから作られる。
【０１２７】
繊維コードが使用されるとき、それらはナイロン、レーヨン、ポリエチレンナフタリン―２,６―ジカルボキシレート（ＰＥＮ）、ポリエチレンテレフタレート（ＰＥＴ）、ケブラー（Ｋｅｖｌａｒ）（登録商標）であっても良い。あるいは、少なくとも１本の高弾性ヤーン（highmodulus yarn）（例えば、ケブラー（Ｋｅｖｌａｒ）（登録商標）のような、アラミド繊維）で撚られた少なくとも１本の低弾性ヤーン（例えば、ナイロン又はレーヨン）で構成された複合コードが使用されても良い。
【０１２８】
カーカスの周りにコードを巻きつける異なる技術は、例えば、欧州特許第４６１  ６４６号明細書で開示されているように当技術分野でも良く知られている。
【０１２９】
ベルト構造３６は、タイヤの赤道面Ｘ−Ｘに対して斜めに配向される複数の強化コード（例えば、アラミドコード）を組み込む２つの半径方向に重ね合わされたベルトプライ（図示せず）を具備できる。強化コードは、各プライにおいて互いに平行で、周方向に対して所定角度を形成できるように隣接プライのコードと交差する。
【０１３０】
サイドウォール３８もカーカスプライ３２の外部に張り付けられ、このサイドウォールは、軸方向外部位置において、ビード３５からベルト構造３６の端部に延びる。
【０１３１】
その側縁部がサイドウォール３８に接続されるトレッドバンド３９は、ベルト構造３６の半径方向外部の位置に周方向に張り付けられる。トレッドバンド３９は、転動面全体にわたって分布された様々な形状及び寸法の複数のブロックを画定する様々な形状の溝によって接地するように設計された転動面を有する。
【０１３２】
チューブレスタイヤに関する場合、一般に「ライナ」として知られている、ゴム層（図３には示さず）は、タイヤ３０に膨張空気に対する必要な不透過性を提供するためにカーカスプライ３２に対し半径方向内部位置に提供されても良い。
【０１３３】
図３の実施形態によれば、タイヤ３０は、ビードコア３３及びビード充填材３４の周りに巻き付けられるフリッパ４０を備えている。
【０１３４】
前記実施形態によれば、フリッパ４０は、カーカスプライ３２とビードコア／充填材アセンブリとの間に配置され、タイヤの前記構造的構成要素と直接接触する。
【０１３５】
説明を簡単にするために、図４及び５では、図１で示されたタイヤの構成要素と異なるタイヤ構成要素だけが示されている。したがって、図１の構成要素に関して同様又は同一である図４及び５の構成要素は、説明において同参照記号で扱われる。
【０１３６】
図４は、本発明によるシェイファを備えた自動車用タイヤの部分断面図を示す。
【０１３７】
図４のタイヤ５０は、２つのカーカスプライ５１、５２を備え、シェイファ５３はそれらの間に配置される。より詳しくは、シェイファ５３はフリッパ内部脚部分１７２の近くのカーカスプライ５１、５２間に配置される。
【０１３８】
図４の実施形態によれば、シェイファ５３は、半径方向外部ビードコア部分に対応して始まり、タイヤサイドウォールに沿って延びて、内部フリッパ端部１７４の半径方向外部の位置で終わる。
【０１３９】
図５は、本発明による他の実施形態によるシェイファを備えた自動車用タイヤの部分断面図を示す。
【０１４０】
前記実施形態によれば、シェイファ５３は、カーカスプライ５１、５２の折り返し端部に対して軸方向外部の位置に配置される。
【０１４１】
より詳しくは、シェイファ５３は、第２のカーカスプライ５２の、すなわち半径方向外部カーカスプライ５２の軸方向外部に配置され、フリッパ外部脚部分１７３の近くまで延びる。
【０１４２】
図５の実施形態によれば、シェイファ５３は、半径方向外部ビードコア部分に対応して始まり、タイヤサイドウォールに沿って延びて、内部フリッパ端部１７４の半径方向外部の位置で終わる。
【０１４３】
シェイファに関する限り、コード内の糸状要素数、糸状要素の直径、コードのピッチ、予備成形糸状要素の特性（すなわち、振幅、波長）、コード構成、密度が、フリッパに関して上述した範囲で選ばれる。
【０１４４】
好ましくは、本発明によるシェイファの細長強化要素は、フリッパの長手方向に対して斜めに向けられ、１５゜〜７０゜の、より好ましくは２０゜〜６０゜の範囲の、タイヤの半径面に対する角度で配置される。
【０１４５】
好ましくは、本発明のシェイファは、「ＨＰ」（ハイパフォーマンス）又は「ＵＨＰ」（ウルトラハイパフォーマンス）自動車用タイヤ、すなわち、クラス「Ｈ」や「Ｖ」（２１０Ｋｍ／ｈを超える最大速度）及びクラス「Ｗ」や「Ｙ」（２４０Ｋｍ／ｈを超える最大速度）に属する自動車用タイヤに特に適している。さらに、本発明は、その最大速度が３００Ｋｍ／ｈを超える自動車用タイヤに適している。
【０１４６】
好ましくは、本発明の自動車用タイヤは、０．６５と２．０との間の範囲の、直断面の最大幅に対するその断面の高さであるＨ／Ｃ比率を有する。好ましくは本発明の自動車用タイヤは、非常に低い断面を有するタイヤであり、例えば比Ｈ／Ｃは０．２５と０．６５との間、より好ましくは０．２５と０．４５の間である。
【０１４７】
本発明についての他の説明のため、幾つかの例が以下に示される。
【実施例】
【０１４８】
実施例１
本発明に基づくフリッパの細長強化要素の柔軟性を示すために、出願人は、本発明による２つの細長強化要素と２つの比較細長強化要素との「ターバー剛性（Taber Stiffness）」（１９９５年版―ＢＩＳＦＡ―ターバー剛性の決定Ｅ８―スチールタイヤコードを試験するための国際的に合意された方法に従って）を測定した。
【０１４９】
表１に報告された剛性の値は５回行われた試験の平均値である。
【０１５０】
その値が低いほど、コードはより柔軟性がある。
【０１５１】
【表１】
2007515323.tif 000003
【０１５２】
詳細：
−  コード１は、３×０．１２ＨＴコード（すなわち、０．１２ｍｍの直径を有し、ＨＴスチールから作られた３本のワイヤを一緒に撚ることによって得られたコード）；３本のワイヤは全て２．２００ｍｍの波長（ピッチ）及び０．３４５ｍｍの振幅を有する実質的に正弦波状の波動にしたがって予備成形された；
−  コード２は、３×０．１７５ＨＴコード（すなわち、０．１７５ｍｍの直径を有し、ＨＴスチールから作られた３本のワイヤを一緒に撚ることによって得られたコード）；３本のワイヤは全て２．２００ｍｍの波長（ピッチ）及び０．３４５ｍｍの振幅を有する実質的に正弦波状の波動にしたがって予備成形された；
−  コード３はコード１に類似しており、唯一の違いは、コード３の３本のワイヤは予備成形されていないことであった；
−  コード４はコード２に類似しており、唯一の違いは、コード４の３本のワイヤは予備成形されていないことであった。
【０１５３】
予備成形ワイヤを有する細長強化要素が、ワイヤが予備成形されていない類似のコード構成を有する細長強化要素の剛性よりも著しく大きい剛性を示すことは注目される。
【０１５４】
実施例２
２８５／３５  Ｒ１９の寸法を有する２つのタイヤＡ及びＢが製造された。
【０１５５】
タイヤＡ及びＢは、同一の構造的要素、すなわち同一カーカス（１つのカーカスプライ）、クロスベルトプライ、０゜ベルト層（クロスベルトプライの半径方向外部に配置された）、ビードコア（アルダーファ（Alderfer）５×５、各ワイヤは、０．８９ｍｍの直径を有し、ＨＴスチールから作られている）及びトレッドバンドを有した。
【０１５６】
タイヤＡ（本発明によるタイヤ）はさらにフリッパを有し、そのフリッパの細長強化要素は予備成形金属糸状要素から形成されたスチールコードを有した。
【０１５７】
より詳しくは、各細長強化要素は、３×０．１２ＨＴスチールコード（すなわち、０．１２ｍｍの直径を有する３本のＨＴスチールワイヤから形成されたコード）から成った。コードの各ワイヤは、２．２００ｍｍの波長（ピッチ）及び０．３４５ｍｍの振幅を有する実質的に正弦波状の波動にしたがって予備成形された。
【０１５８】
フリッパ内の細長強化要素は、タイヤの半径面に対して、約４５゜の角度で配置された。
【０１５９】
フリッパ内の細長強化要素の密度は、８５コード／ｄｍであり、フリッパの厚み―すなわち、コードの直径及びコードが埋め込まれたゴム化合物を含む総厚み―は約０．９５ｍｍだった。
【０１６０】
本発明のタイヤＡにおいて、フリッパは、外部脚部分よりも長く延ばされた内部脚部分を備えていた。
【０１６１】
タイヤＢ（比較）もフリッパを有し、そのフリッパの細長強化要素は２つのアラミド繊維フィラメントから形成されたコードを有した。フィラメントは、１８４０のカウント（ｄＴｅｘ―この測定単位は１０，０００メートルの繊維に相当するグラム単位の重量である）、及び５０のツイスト（ｔｐｍ―単位メートル当りの巻き数）を有した。コードのツイストは５０（ｔｐｍ）であった。
【０１６２】
タイヤＢのフリッパ内の細長強化要素は、タイヤの半径面に対して、約４５゜の角度で配置された。
【０１６３】
タイヤＢのフリッパ内の細長強化要素の密度は、１１０コード／ｄｍであり、タイヤＢのフリッパの厚みは―すなわち、コードの直径及びコードが埋め込まれるゴム化合物を含む総厚みは−約１ｍｍであった。
【０１６４】
タイヤＢにおいて、フリッパは、外部脚部分よりも長く延ばされた内部脚部分を備えていた。
【０１６５】
屋内及び屋外試験がタイヤＡ及びＢで実行された。
【０１６６】
屋内試験
ａ）高速度疲労応力試験
タイヤはタイヤ負荷容量に対し１６０％の過負荷を受け、次に１２０ｋｍ／ｈの固定かつ制御された速度のロードホイールで回転される。タイヤ空気圧は約２．６バールであった。この試験は、タイヤをリムに、そのリムを測定機械軸に装着して実行された。その試験は、タイヤに障害が生じたときに停止された。
【０１６７】
それらの結果は、図６に要約されており、それから、高速度における疲労応力の結果は、比較タイヤＢに対し本発明のタイヤＡのほうが１０％を上回り増加されることが指摘できる。
【０１６８】
ｂ）高速度耐久性
タイヤは、加速するロードホイールで回転された。より詳しくは、ロードホイールは１時間２４０ｋｍ／ｈで回転され、さらに続いてその速度は１０分毎に１０ｋｍ／ｈ増速された。試験は、タイヤの障害が起こると停止された。前記障害は、例えば、コードの破断、チャンキング、ブロックの引裂、カーカスプライの脱離、ベルトプライの脱離、ブリスター形成が原因である。
タイヤに加えられた圧力及び負荷値は、タイヤのロードインデックス（Ｌｏａｄ  Ｉｎｄｅｘ）とスピードインデックス（Ｓｐｅｅｄ  Ｉｎｄｅｘ）、したがってタイヤの寸法に依存する。
障害が起こる前、タイヤＡの最終段階の速度は５分間、３３０ｋｍ／ｈであったが、タイヤＢの最終段階の速度は４分間、３２０ｋｍ／ｈであった。
【０１６９】
それらの結果は図７で要約されており、それから、高速度耐久性の結果は比較タイヤＢに対し本発明のタイヤＡが約１０％増分されることが指摘できる。
【０１７０】
ｃ）屋内衝撃試験
公称動作負荷を掛けたタイヤは、回転の垂直軸で取り付けられ、１５０ｋｍ／ｈ〜０ｋｍ／ｈの範囲の速度で回転するロードホイールで回転された。ロードホイールは、その半径方向外面に、バンプを形成する所定寸法の平行６面体形状のバーを載せている。タイヤは、バンプがタイヤ上に生成する励振（ハブにおける力）を測定する固定動力計ハブに取り付けられた。
【０１７１】
図８に示されるように、試験は、速度（ｋｍ／ｈ）の関数として、バンプをタイヤが通過する間のハブにおける力の半径及び長手方向成分の、振動数（Ｈｚ）、衝撃（％）、及び励振（ｋｇ）を測定した。より詳しくは、図８はタイヤＡに関する前記測定値（星印で示された）がどれだけタイヤＢに関する測定値（円で示された）と実質的に一致しているかを示す。
【０１７２】
ｄ）快適さ：垂直剛性
タイヤは、ホイールハブに位置決めされ、静止条件で、すなわち回転が起きない状態で、試験された。初期タイヤ空気圧は、約１．６バールであり、次第にそのタイヤ空気圧は約０．２バール刻みで最終値の約２．８バールに至るまで増分された。ホイールハブに加えられた初期負荷は、車両負荷であり；連続的に前記負荷は、次第に０ｋｇから１，５００ｋｇまで増加される過負荷で増分された。試験は、負荷を加えている際にタイヤに生じる扁平度を測定することからなる、すなわち、その試験は、加えられた負荷に対しタイヤが供する抵抗を評価した。垂直剛性は、車輪の半径に沿う方向の変形に対するタイヤの抵抗である。前記パラメータは、タイヤ快適性に関連しており、一般に、高い垂直剛性はゴツゴツして不快な乗り心地に対応する。したがって、理想的なタイヤは、横グリップを与える高い横剛性と、同時に、路面の凸凹を吸収する低い垂直剛性とを有すべきである。
図９はタイヤＡ（発明）とタイヤＢ（比較）との垂直剛性（ｋｇ／ｍｍで測定された）を示す。図９によれば、２つのタイヤは実質的に同じ垂直剛性を有するので、タイヤＡの快適さはタイヤＢの快適さと同程度であった。
【０１７３】
ｅ）スリップ剛性
タイヤはホイールハブに取り付けられ、タイヤ回転軸と平行な回転軸を有するロードホイールで回転された。タイヤは１００ｋｍ／ｈの速度で回転され、スリップ角度が加えられた。初期スリップ角度は０゜に等しく、さらにそれは約１Ｈｚの周波数の正弦波曲線にしたがって次第に±１゜増分された。試験は、タイヤをその公称空気圧に維持しながら、異なる垂直負荷（１５０ｋｇから７５０ｋｇまで）で実行された。コンピュータ化システムが、試験中に測定パラメータ（スリップ力、自己調整トルク（self-aligning torque））の値を得るために提供された。
スリップ剛性（sliprigidity）ｋｄは、次の数式によりタイヤ構造の剛性ｋｓ及びタイヤトレッドの剛性ｋｂにより決まる：
１／ｋｄ≡１／ｋｓ＋１／ｋｂ  （１）
図１０、１１、１２は、加えられた負荷（ニュートン）に対するタイヤトレッドの剛性ｋｂ、タイヤ構造の剛性ｋｓ及びスリップ剛性ｋｄ（ニュートン／角度で測定された）をそれぞれ示す。
詳しくは、図１０は、タイヤＡのタイヤトレッドの剛性ｋｂがタイヤＢのタイヤトレッドの剛性ｋｂと実質的に等しいことを示すが、図１１は、タイヤＡのタイヤ構造の剛性ｋｓがタイヤＢのタイヤ構造の剛性ｋｓよりも大きいことを示す。
したがって、図１２は、タイヤＡの、スリップ剛性ｋｄ、ゆえに横グリップは、タイヤＢの、スリップ剛性ｋｄ、ゆえに横グリップよりも大きいことを示す。
【０１７４】
屋外試験
ａ）操縦性
操縦性試験はトラック上で行われ、テストドライバは、定速度、加速、及び減速で実行される幾つかの特徴的走行（例えば、車線変更、コーナの進入、コーナからの脱出）をシミュレートした。次に、テストドライバは、タイヤ挙動を判定し、前記走行中のタイヤ性能に基づき点数を付けた。
操縦性は、一般に、テストドライバによって実行される走行の種類により、２つのヴォイス（voices）（ソフト操縦とハード操縦）に分割される。ソフト操縦は、通常走行条件下、すなわち、通常速度及び十分な横グリップの条件でのタイヤの使用に関する。これに反して、ハード操縦試験は、密着限度における、すなわち、極限運転条件下でのタイヤの挙動を表す。ハード操縦試験の場合、テストドライバは、平均ドライバが予測できずない危険な状況において：高速度での緊急のかじ取り、障害物を避ける突然の車線変更、突然の制動などを実行することを強制される走行を実行する。
試験に使用された自動車は、本発明のタイヤＡ、次に比較タイヤＢを装着したフェラーリ３６０モデナ（Ｆｅｒｒａｒｉ３６０  Ｍｏｄｅｎａ）であった。これらのタイヤは、標準リムに装着され、公称動作空気圧まで膨らまされた。
２つの異なる種類の試験が実行された：通常速度（ソフト操縦）での挙動、及び密着限度での挙動（ハード操縦）。
ソフト操縦試験に関する限り、テストドライバは：センターにおけるエンプティネス（emptiness in the centre）、つまり小さなかじ取り角に対する自動車の応答遅延やその程度；カーブに進入するかじ取りに対する応答の迅速さ（thepromptness of response）；カーブを走行するかじ取りに対する応答の連続性（the progressiveness of response）を；カーブでのセンタリング、つまりカーブ走行時での自動車を連続的なかじ取り補正無しで一定半径を維持するタイヤ能力；リアライメント、つまり自制及び緩和された横振動で自動車をカーブの出口で直線軌道に戻すことができるタイヤの能力を査定した。
ハード操縦試験に関する限り、テストドライバは：急激に曲がるときのハンドルに掛かる力；挿入の迅速さ、つまり限界速度で行われたカーブへの進入における過渡期のタイヤの挙動；平衡度、つまり自動車のオーバーステア又はアンダーステアの程度；イールド（yield）、つまり過度な変形もなく、したがって、自動車の安定性と制御性とを低下させることなく、突然の車線変更の結果として起こる負荷の高速移動を吸収するタイヤ能力；カーブでの解放、つまり限界速度で行われたカーブ走行中の突然のアクセルの解放の結果起こる不安定の影響を緩和するタイヤ能力；制御性、つまり密着力を失った後に自動車を軌道に維持及び／又は戻すタイヤ能力を評価した。表２は、タイヤ制御性についてのテストドライバの成績表を要約する。前記試験の結果は、点数方式でテストドライバによって表現された主観的な意見を表す評価尺度によって表される。次の表で再現された値は、数回の試験（例えば、５〜６回の試験）で得られ、数人のテストドライバによって提供された値の平均値を表す。注目すべきは、値の尺度が最小限の４から最大限の９までであることである。
【０１７５】
【表２】
2007515323.tif 000004
【０１７６】
表２から分かるように、本発明によるタイヤは、比較タイヤと比べてきわめて良好な特性を有する。
【０１７７】
例えば、本発明のタイヤは、迅速性、連続性、カーブにおけるセンタリング及びアンダーステアという項目から導き出される、高い迅速性及び（特にタイヤがかじ取り車軸に取り付けられるときの）接地性を有する。
【０１７８】
さらに、本発明のタイヤは、リアライメント、オーバーステア、制御性及びイールドという項目から導き出される、高い横グリップを有する。
【０１７９】
本発明のタイヤは、２本の車軸間の高い均衡を、ゆえに自動車のフロント及びリヤの優れた平衡を提供するのに成功する。
【図面の簡単な説明】
【０１８０】
【図１】本発明による自動車用タイヤの部分断面図を示す。
【図２】本発明によるフリッパ内に使用できる予備成形糸状要素を示す。
【図３】本発明によるバイク用タイヤの部分断面図を示す。
【図４】本発明によるシェイファを備えた自動車用タイヤの部分断面図を示す。
【図５】本発明による他の実施形態によるシェイファを備えた自動車用タイヤの部分断面図を示す。
【図６】本発明のタイヤ及び比較のタイヤでそれぞれ実施された試験から得られた結果の比較を示す。
【図７】本発明のタイヤ及び比較のタイヤでそれぞれ実施された試験から得られた結果の比較を示す。
【図８】本発明のタイヤ及び比較のタイヤでそれぞれ実施された試験から得られた結果の比較を示す。
【図９】本発明のタイヤ及び比較のタイヤでそれぞれ実施された試験から得られた結果の比較を示す。
【図１０】本発明のタイヤ及び比較のタイヤでそれぞれ実施された試験から得られた結果の比較を示す。
【図１１】本発明のタイヤ及び比較のタイヤでそれぞれ実施された試験から得られた結果の比較を示す。
【図１２】本発明のタイヤ及び比較のタイヤでそれぞれ実施された試験から得られた結果の比較を示す。
【図１】
2007515323.tif 000005
【図２】
2007515323.tif 000006
【図３】
2007515323.tif 000007
【図４】
2007515323.tif 000008
【図５】
2007515323.tif 000009
【図６】
2007515323.tif 000010
【図７】
2007515323.tif 000011
【図８】
2007515323.tif 000012
【図９】
2007515323.tif 000013
【図１０】
2007515323.tif 000014
【図１１】
2007515323.tif 000015
【図１２】
2007515323.tif 000016
【国際調査報告】
2007515323.tif 000017
2007515323.tif 000018
2007515323.tif 000019